(57)【要約】弁の可動部材の位置を示す電気的スイッチ１０を開示する。弁の可動部材は、線形移動ステムまたは回転シャフトでもよい。このスイッチは、密封された囲壁内に配置されたセンサ５０を備える。このセンサは、リードスイッチまたはホール効果センサでもよい。枢動アーム８６が囲壁に取り付けられ、ばね６０によって偏倚される。枢動アームは、囲壁に隣接して永久磁石７０を保持する。アクチュエータが弁の可動部材を移動させると、枢動アームが囲壁に対して押し付けられる。磁石はセンサと位置合わせした関係に移動し、可動部材の位置を電気的に示す。
2004523089.tif 000002
【特許請求の範囲】
【請求項１】
第１の壁および隣接する第２の壁によって画定された気密密封されたチャンバを有する囲壁と、
前記囲壁に枢動可能に取り付けられたレバーであって、第１の位置と第２の位置との間で該レバーと共に可動である永久磁石を前記第２の壁に隣接して有しているレバーと、
前記レバーおよび前記磁石を前記第１の位置に偏倚させる偏倚部材と、
前記チャンバ内に配置され、前記レバーと前記可動部材の接触を介して、前記磁石が前記第２の位置に移動した場合に、該磁石によって影響を受けることが可能であるセンサとを備える、可動部材の位置を示すための電気装置。
【請求項２】
前記センサが、前記囲壁に取り付けられた密封されたワイヤプレートを通過するワイヤを備える請求項１に記載の電気装置。
【請求項３】
前記センサがリードスイッチを備える請求項１に記載の電気装置。
【請求項４】
前記センサがホール効果センサを備える請求項１に記載の電気装置。
【請求項５】
前記囲壁が、第２の部分に超音波によって溶接される第１の部分を更に備える請求項１に記載の電気装置。
【請求項６】
前記レバーがホルダを備え、該ホルダは前記第２の壁に平行な面を有し、前記磁石を前記囲壁の前記第２の壁に隣接して受け入れ可能に固定する請求項１に記載の電気装置。
【請求項７】
前記囲壁が、前記チャンバの外側に前記ホルダおよび磁石を受け入れるチャネルを更に備える請求項６に記載の電気装置。
【請求項８】
前記偏倚部材が、前記囲壁と前記レバーの間に配置されたばねを備える請求項７に記載の電気装置。
【請求項９】
第１の壁および隣接する第２の壁によって画定された密封されたチャンバを有する囲壁と、
前記第１の壁に枢動可能に取り付けられた一端を有するアームと、
磁石を前記第２の壁に隣接して保持するための前記アーム上のレセプタクルと、
前記アームと前記囲壁の前記第１の壁との間に配置された偏倚部材と、
前記第２の壁に隣接して前記チャンバ内に配置され、前記磁石が前記アームと共にセンサと位置合わせした関係に枢動された場合に、弁部材の位置を示すように磁気的に影響されることが可能なセンサとを備える、弁の状態を示すリミットスイッチ。
【請求項１０】
前記センサがリードスイッチである請求項９に記載のリミットスイッチ。
【請求項１１】
前記センサがホール効果センサである請求項９に記載のリミットスイッチ。
【請求項１２】
前記囲壁が、超音波によって互いに溶接されるケースおよびカバーを備える請求項９に記載のリミットスイッチ。
【請求項１３】
前記センサが、前記第１の壁内に画定された開口に密封可能に取り付けられたワイヤプレートを通過する１つまたは複数のワイヤを有する請求項９に記載のリミットスイッチ。
【請求項１４】
前記レセプタクルが、前記第２の壁に平行な面を有して前記磁石を保持する請求項９に記載のリミットスイッチ。
【請求項１５】
前記レセプタクルのプレートが、リップを備えて、前記磁石を前記レセプタクル上に保持する請求項１４に記載のリミットスイッチ。
【請求項１６】
前記第２の壁が、前記アームの前記レセプタクル内に前記磁石を受けるチャネルを備える請求項１５に記載のリミットスイッチ。
【請求項１７】
アームの一端を囲壁の第１の壁に取り付けることと、
前記アーム上の磁石を前記囲壁の第２の壁に隣接して保持することと、
センサを前記囲壁内で前記第２の壁に隣接して密封することと、
可動部材を枢動アームに接触させることによって、前記センサに対して前記磁石を枢動させることと、
前記磁石が前記センサと位置合わせした関係になった場合に、前記可動部材が所定の位置に至ったことを電気的に示すことと、
前記可動部材が前記所定の位置にない場合に、前記枢動アームおよび前記磁石を前記センサと位置合わせした関係から離して偏倚させることとを含む、可動部材の所定の位置を示す方法。
【請求項１８】
前記可動部材が前記所定の位置に至ったことを電気的に示すことが、前記囲壁内のリードスイッチ内のリードに磁気的に影響を与えることを含む請求項１７に記載の方法。
【請求項１９】
前記可動部材が所定の位置に至ったことを電気的に示すことが、前記囲壁内のホール効果センサに磁気的に影響を与えることを含む請求項１７に記載の方法。
【請求項２０】
前記アーム上の前記磁石を前記第２の壁に隣接して保持することが、前記磁石を前記第２の壁と、前記アームに取り付けられ前記第２の壁に平行なプレートとの間に配置することを含む請求項１７に記載の方法。
【発明の詳細な説明】
【技術分野】
【０００１】
本発明は、一般に電気的スイッチに関し、さらに詳細には、弁ステムなど可動部材と共に使用する密封近接スイッチに関する。
【背景技術】
【０００２】
リミットスイッチなど弁位置スイッチは、流体の流れを制御する弁のたとえば開閉状態を示すために使用される。弁は通常、直線にまたは回転可能に可動な部材を有し、その可動部材の相対位置は、弁の状態に関係する。スイッチは、弁の可動部材が、通常、完全に開いた弁、または完全に閉じた弁に対応する特定の位置に至った場合に、この部材と接触する。次いでこのスイッチは、リモートコントローラに、弁の状態に関する電気的指示を与える。
【発明の開示】
【発明が解決しようとする課題】
【０００３】
理想的には、スイッチは、その寿命を通して可動部材との接触の繰返しに耐える耐久性を実質的にもつ。スイッチは、スイッチ内のセンサを破壊する可能性がある腐食性要素または腐食性流体の影響を受けやすいため、スイッチは、十分な保護とシールを有し、開口部の数が最小限であると望ましい。
【課題を解決するための手段】
【０００４】
本発明の一態様は、可動部材の位置を示す電気装置を提供する。この電気的スイッチは、囲壁、レバー、永久磁石、偏倚部材、およびセンサを備える。囲壁は、第１の壁および隣接する第２の壁によって画定された気密密封されたチャンバを有する。レバーは、第１の壁に枢動可能に取り付けられ、永久磁石を第２の壁に隣接して保持する。この磁石は、第１の位置および第２の位置の間でレバーと共に可動である。偏倚部材はレバーおよび磁石を第１の位置に偏倚させる。センサは、チャンバ内に位置し、磁石が、レバーと可動部材の接触を介して、第２の位置に移動した場合に、磁石の影響を受けることが可能である。
【０００５】
本発明の他の態様は、弁の状態を示すリミットスイッチを提供する。このリミットスイッチは、囲壁、アーム、ホルダ、磁石、偏倚部材、およびセンサを備えている。囲壁は、第１の壁および隣接する第２の壁によって画定された密封されたチャンバを有する。アームは、一端が第１の壁に枢動可能に取り付けられている。アーム上のレセプタクルは、磁石を第２の壁に隣接して保持する。偏倚部材は、アームと囲壁の第１の壁との間に配置される。センサは、第２の壁に隣接してチャンバ内に配置され、磁気的に影響を受けることができ、磁石がセンサとアームと共に枢動されて位置合わせした関係に至った場合に、弁部材の位置を示す。
【０００６】
本発明の他の態様は、可動部材の所定の位置を示す方法を提供する。この方法は、アームの一端を囲壁の第１の壁に取り付けることと、アーム上の磁石を囲壁の第２の壁に隣接して保持することと、センサを囲壁内で第２の壁に隣接して密封することと、可動部材を枢動アームと接触させることによって、センサに対して磁石を枢動させることと、磁石がセンサと位置合わせした関係になった場合に、可動部材が所定の位置に至ったことを電気的に示すことと、可動部材が所定の位置にない場合は、枢動アームおよび磁石をセンサと位置合わせした関係から離して偏倚させることとを含む。
【０００７】
上記の要約は、本明細書で開示した本発明の可能性のある各実施形態または態様全てを要約するものではなく、単に頭記の特許請求の範囲を要約するものである。
【０００８】
本発明の上記の要約、好ましい実施形態、および他の特徴または態様は、以下の詳細な説明を読み、図面を参照されると明らかになるであろう。
【０００９】
本発明は、様々な変更形態および代替形態が可能であるが、本発明の特定の実施形態を、図面の例で示し、本明細書で詳細に説明する。図および記載の説明は、本発明の広範さおよび範囲を決して限定するものではなく、むしろそれらは、米国特許法１１２条で求められているように、本発明の特定の実施形態を参照することによって、本発明を当業者に例示するために提供するものである。
【発明を実施するための最良の形態】
【００１０】
図１を参照すると、分解図が本発明による弁位置スイッチ１０の一実施形態を示している。弁位置スイッチ１０は、ケース２０およびカバー４０を有する囲壁、センサ５０、ばね６０、磁石７０、および枢動可能部材またはレバー８０を備える。ケース２０は、プラスチック材料からなり、小さい磁界がそれを通過できることが好ましい。ケース２０は、側壁および背壁によって画定されたチャンバ３０を備える。ケース２０の側壁内の凹みは、枢動凹部２２を形成する。枢動凹部２２は、ケース２０の開口部に向かって開き、背壁に向かって閉じている。ケース２０の側壁内の第２の凹みは、ばね凹部２４を形成する。このばね凹部２４も、ケースの開口部に向かって開き、背壁に向かって閉じている。もう１つの凹みは、ケース２０の背壁内のチャネル２６を形成する。このチャネル２６は、側壁に向かって開いている。
【００１１】
チャンバ３０は、その中にセンサ５０を受け入れており、センサ５０は図１および図３Ａ〜Ｂで示したようなリードスイッチでもよく、または図３Ｃで示したようなホール効果センサでもよい。弁ステムの動作を電気信号または電気特性（たとえば、閉回路または抵抗の変化）に変換できる任意の装置を備えた他のセンサまたは変換器を本発明に使用することもできる。複数のリテーナ３２および棚３４は、チャンバ３０内でセンサ５０を支持する。図で示したリードスイッチセンサについては、Ｏリング５６および５８をセンサ５０上に配置して、センサ５０をチャンバ３０内で保護し位置させることができる。センサ５０からの複数のワイヤ５２は、ワイヤプレート３６を通過し、ワイヤプレート３６は、ケース２０内のチャネル３８内にスライドして入る。ワイヤ５２はシール５４を有して、ワイヤプレート３６の内側で、シール５４でワイヤ５２を保持し密封することができる。センサ５０を設置したチャンバ３０は、注封材料（図示せず）を充填して、センサ５０をしっかり固定し保護することができ、そうすることが好ましい。Ｇｅｎｅｒａｌ  Ｅｌｅｃｔｒｉｃ，Ｉｎｃ．によって提供されているＲＴＶ１１は、シリコーン注封材料であって、本出願人は、スイッチ１０に気密密封をもたらす際にこれが非常に良好に作用することを見出した。
【００１２】
枢動可能部材８０は枢動アーム８６を備えており、この枢動アーム８６の一端は枢動凹部２２内に取り付けられている。枢動アーム８６の端部にある枢動ピン８８は、取り付けた場合、ケース２０の枢動凹部２２内の穴２３およびカバー４０内の補助穴４３内に嵌まる。ばね６０は、ばね凹部２４内に取り付けられ、枢動アーム８６をケース２０の側壁から離れるように偏倚させる。枢動可能部材８０は、枢動アーム８６の遠位端に接触ノブ８４も備える。接触ノブ８４は、弁の可動部材（図示せず）と接触して、枢動アーム８６を枢動ピン８８を軸として移動させる。
【００１３】
枢動可能部材８０は、磁石７０を保持するためのホルダ８２を有する。ホルダ８２は、ケース２０の背壁に平行で、磁石を背壁に隣接して保持する面またはプレートを有する。ホルダ８２は、磁石７０を更に保持するリップを有することもできる。磁石７０は、ケース２０の背壁上にあるチャネル２６内に載る。磁石７０は、チャンバ３０内のセンサ５０に隣接して配置されて、枢動可能部材８０が作動すると、センサ５０に磁気的影響を与える。
【００１４】
スイッチを完成し、チャンバ３０内にセンサ５０を密封するには、カバー４０をケース２０に取り付ける。具体的には、複数の取付穴２８および２９が、ケース２０の開口部に面している。ボルトまたはねじ（図示せず）をカバー４０の取付穴４１および４２を介して挿入し、ケース２０の取付穴２８および２９内にねじ込む。カバー４０は、ケース２０のチャンバ３０を囲み、ケース２０上に超音波によって溶接される。ケース２０とカバー４０の間の超音波溶接を容易にするため、ケース２０は、ケース２０の縁部を取り囲む材料である薄いリップ２７を備えることができる。カバー４０は、レバーストップ４４も備える。レバーストップ４４は、枢動凹部２２内に嵌まり、枢動可能部材８０が枢動する場合にそれを止める働きをする。カバー４０の突起４６は、ばね凹部２４を塞ぎ、ばね６０がばね凹部２４内に設置された場合に、ばね６０をさらに保持する。
【００１５】
カバー４０をケース２０に取り付け、超音波によって溶接した状態で、密封された囲壁が作り出される。枢動可能部材８０は、密封チャンバ３０と直接には連通しない。磁石７０の磁束のみがケース２０の壁を通過し、センサ５０に作用する。ワイヤプレート３６は、密封された囲壁内の唯一の開口を示す。ただし、ワイヤプレート３６は、シール５４によって、かつＰｅｒｍａｂｏｎｄ１０５または２４０など締結部４８によって、センサ５０のワイヤ５２上で適切に密封されている。
【００１６】
枢動可能部材８０の作動は、接触ノブ８４が可動部材（図示せず）と接触することによって起こる。枢動アーム８６は、枢動ピン８８を軸として回転し、磁石７０はチャネル２６内に移動する。磁石がチャネル２６内に移動するとき、磁石７０は密封チャンバ３０内のセンサ５０と位置合わせした関係にされる。このとき磁石７０の磁束がセンサ５０に影響を与えて、可動部材の位置を電気的に示す。
【００１７】
接触ノブ８４が可動部材と接触しなくなった、または変化した場合、枢動可能部材８０を偏倚させるばね６０は圧縮された状態から延び、枢動可能部材８０をケース２０から離れて枢動させる。このとき、チャネル２６内の磁石７０はセンサ５０と位置合わせした関係から離れる。枢動可能部材８０のストップ延長部８９は、レバーストップ４４と接触する。レバーストップ４４は、枢動凹部２２内に在り、したがって枢動可能部材８０のさらなる移動を停止させる。
【００１８】
図２Ａを参照すると、スイッチ１０の側面図が密封囲壁２１を形成するケース２０およびカバー４０を示している。ワイヤ連結部５２は、密封囲壁２１から突き出て、囲壁２１内に密封されたセンサ５０を制御装置（図示せず）に連通させる。枢動アーム８６のストップ８９は、偏倚部材６０が枢動アーム８６を完全に偏倚した位置に押し付けるときに、囲壁２１と接触する。その結果、磁石ホルダ８２内の磁石７０は、囲壁２１内に密封されたセンサ５０から離れて位置する。スイッチ１０の載置はＶ３規格に基づいていることが好ましい。
【００１９】
図２Ａは、磁石７０がセンサ５０と関連し、弁の可動部材（図示せず）の位置を示すのに必要な寸法のいくつかを示す助けをする。枢動アーム８６の接触ノブ８４は、ばねが枢動可能部材８０を完全に偏倚させた場合、密封囲壁２１の側壁からおおむね距離９２のところにある。接触ノブ８４が可動部材と接触状態になり、枢動アーム８６が可動部材と接触しないことが望ましい。この理由で、接触ノブ８４は枢動アーム８６の表面から距離９０だけ突き出ており、可動部材が囲壁２１の側壁から少なくとも合わせた距離９０＋９２の位置にある場合に可動部材と接触する。可動部材が囲壁２１の側壁から距離９２よりも近い任意の位置にあると、可動部材が枢動アーム８６と接触し、センサ５０による不適当な指示が生じ、またはスイッチ１０が損傷を受けるだろう。
【００２０】
また、磁石７０は枢動可能部材８０のホルダ８２内に静置され、囲壁２１のチャネル２６内に置かれている。磁石７０をリードスイッチまたはセンサ５０に隣接するように有効に移動させる距離は、距離９４として示してある。距離９４は、枢動アーム８６が完全に偏倚した位置から囲壁２１の表面と接触する位置までの、ちょうど枢動距離に相当する。
【００２１】
図２Ｂを参照すると、上面図が本実施形態の弁位置スイッチ１０を示している。この上面図は、磁石７０およびセンサ５０が互いに対して位置決めする方法を示す助けをする。枢動端部８８は、枢動アーム８６の一端で、ケース２０から形成され、カバー４０を取り付けた枢動凹部２２内に嵌まる。カバー４０のストップ４４は、枢動アーム８６の延長ストップ８９の下に配置される。偏倚部材は、枢動アーム８６とケース２０に間に位置し、枢動アーム８６に直線的に作用する。
【００２２】
ホルダ８２は、枢動アーム８６の他方の端部で、枢動アーム８６の軸中心線９６から離れて位置する。磁石７０は、ホルダ８２の面またはプレートがチャネル２６内に支えられている場合は、その面またはプレートによって背壁に隣接して保持される。センサ５０は、ケース２０の壁の他方側で、磁石７０に平行に所定の距離９８のところに位置する。距離９８は、磁界がケース２０の背壁を介してセンサ５０に影響を与えるのに十分であるように決定される。たとえば、背壁は、厚さが約０．０６インチ（０．１５２ｃｍ）でもよく、磁石は直径０．２５インチ（０．６３５ｃｍ）で厚さ０．１２５インチ（０．３１８ｃｍ）でもよい。
【００２３】
具体的には、背壁を介した磁界の強度は、距離９８でリードスイッチのリードを移動させることができなければならない。さらに、ホール効果センサを使用する場合は、この変換器がケース２０の背壁を介して磁石７０と位置合わせする場合に、ホール効果変換器が磁石７０から十分な磁束を受けなければならない。通常のホール効果変換器は、±１００ｇａｕｓｓ（ガウス）、または±２５００ｇａｕｓｓ（ガウス）までの感応性があり、１ｍＶ／ｇａｕｓｓ（ガウス）から２５ｍＶ／ｇａｕｓｓ（ガウス）までの出力を提供することができる。特定のギャップ９８および側方の距離９４を、磁石７０とセンサ５０の間で較正して、スイッチ１０に必要な感知能力を提供することができる。本発明に必要とされる較正および回路は、従来技術のものである。
【００２４】
図３Ａ〜Ｂを参照すると、本発明のスイッチで使用するリードスイッチ１００の構成が、図示されている。このリードスイッチ１００は従来の構造であり、ガラス製の封止部１０２を備え、その周りに２つのＯリング１３２および１３４が配置されている。封止部１０２は、その中に配置された磁化可能な材料でできた複数の可撓性リード１１０を備えている。リード１１０は、短距離にわたって重なり、カプセル１０２の端部で個別の導体ピン１１２、１１４、および１１６に連結されている。このピンは、リードスイッチ１００を弁位置スイッチ（図示せず）のチャンバ内に取り付けられるように切断されている。
【００２５】
複数のワイヤ１２２、１２４、および１２６がこのピンに取り付けられている。このワイヤは、ケーブル１２０を形成し、ケーブル１２０はシール１３０を有する。当該技術の範囲内で理解されるように、リードスイッチ１００の接触は、永久磁石（図示せず）の適当な移動によって開閉され、リード１００に磁界の影響を与え、移動させることができる。このリードは、堅固に適用するためにタングステンで構成され、またはＩｎｆｏｒｍａｔｉｏｎ  Ｓｙｓｔｅｍに適用するためにロジウムで構成することができる。他の磁化可能な材料も使用することができる。
【００２６】
図３Ｂを参照すると、本発明による弁位置スイッチに使用する別のセンサ１５０が、図示されている。このセンサ１５０は、プリント回路板１５２を備える。プリント回路板１５２は、スイッチ（図示せず）のチャンバ内にしっかり固定されるように、適切な輪郭になっている。プリント回路板１５２は、カットアウト１５４などのプロファイルを備えて、スイッチのケースおよびカバー用の取付穴を有することができる。ホール効果変換器１６０、および増幅器など他の必要な電子装置１７０は、プリント回路板１５２上に備えられている。当技術分野では知られているように、ホール効果変換器１６０の隣接非磁気プレート（図示せず）に作用する磁束は、プレート間に測定可能な電位を生じさせる。ホール効果変換器１６０の位置は、磁石（図示せず）が変換器１６０と適当な位置合わせ関係にされて、電気信号を生じることができるような位置である。ホール効果スイッチは、バスシステムの適用例に使用されるのが好ましい。
【００２７】
図４Ａ〜Ｂを参照すると、弁位置スイッチ２００の動作が線形可動部材１９０に関連して図示されている。線形可動部材１９０は、たとえば、弁のステムでもよい。本体１９０は、アクチュエータ１９２を有しており、アクチュエータ１９２は本体の表面からわずかに突出している。アクチュエータ１９２は、線形可動部材１９０がスイッチ２００に対して所定の位置に至った場合に、スイッチ２００に接触する。この所定の位置は通常、完全に閉じた弁、または完全に開いた弁に対応している。
【００２８】
図４Ａでは、アクチュエータ１９２がスイッチ２００に近づくときの線形可動部材１９０が示されている。スイッチ２００は、アクチュエータ１９２が枢動アーム８６に接触しないように、適切に間隔をおいて配置されている。アクチュエータ１９２は、スイッチ２００上の接触ノブ８４だけを打つように意図されている。偏倚部材６０は、枢動アーム８６を図で示した位置に押し付ける。アーム８６の延長端部８９は、スイッチ２００上のストップと接触して、枢動アーム８６がさらに延びるのを防ぐ。
【００２９】
図４Ｂでは、アクチュエータ１９２がスイッチ２００上の接触ノブ８４と接触したときの線形可動部材１９０が示されている。枢動アーム８６は、スイッチ２００のケーシングに向かって枢動し、磁石ホルダ８２はチャネル２６内にスライドする。その結果、磁石７０はスイッチ２００のケーシング内のセンサ（図示せず）と位置合わせ関係にされ、電気回路が完成する。電気信号は、連結ワイヤ５２を通過し、線形可動部材１９０が所定の位置に至ったことを示す。
【００３０】
図５Ａ〜Ｂを参照すると、弁位置スイッチ２００の動作が回転本体１９４と関連して図示されている。この回転本体１９４は、たとえば弁の回転ステムでもよい。回転本体１９４はアクチュエータ１９６を有し、アクチュエータ１９６は本体１９４の表面からわずかに突出している。アクチュエータ１９６は、回転本体１９４がスイッチ２００に対して所定の位置に至った場合に、スイッチ２００と接触する。この所定の位置は通常、完全に閉じた弁、または完全に開いた弁に対応している。
【００３１】
図５Ａでは、アクチュエータ１９６がスイッチ２００に近づくときの回転本体１９４が図示されている。スイッチ２００は、アクチュエータ１９６が枢動アーム８６と接触しないように、適切に間隔をおいて配置されている。アクチュエータ１９６は、スイッチ２００上の接触ノブ８４を打つように意図されている。偏倚部材６０は、枢動アーム８６を図で示した位置に押し付ける。アーム８６の延長端部８９は、スイッチ２００上のストップと接触して、枢動アーム８６がさらに延びるのを防ぐ。
【００３２】
図５Ｂでは、アクチュエータ１９６がスイッチ２００上の接触ノブ８４と接触したときの回転本体１９４が図で示されている。枢動アーム８６は、スイッチ２００のケーシングに向かって枢動し、磁石ホルダ８２はチャネル２６内にスライドする。その結果、磁石７０は、スイッチ２００のケーシング内のセンサ（図示せず）と位置合わせした関係にされ、電気回路が完成する。電気信号は、連結ワイヤ５２を通過し、回転本体１９４の位置が所定の位置に至ったことを示す。
【００３３】
本発明の好ましい実施形態および他の実施形態の上記の説明は、本出願人が発明した本発明の広さ、範囲、または適用性を限定または制限するものではない。本明細書に含まれる進歩的な概念の開示と引きかえに、本出願人は、頭記の特許請求の範囲に与えられる全ての特許権を望むものである。
【図面の簡単な説明】
【００３４】
【図１】本発明による弁位置スイッチの一実施形態を示す分解図である。
【図２Ａ】本発明による弁位置スイッチを示す側面図である。
【図２Ｂ】本発明による弁位置スイッチを示す上面図である。
【図３Ａ】本発明による弁位置スイッチで使用するセンサの実施形態を示す図である。
【図３Ｂ】本発明による弁位置スイッチで使用するセンサの実施形態を示す図である。
【図３Ｃ】本発明による弁位置スイッチで使用するセンサの実施形態を示す図である。
【図４Ａ】線形可動部材に関連する弁位置スイッチの動作を示す図である。
【図４Ｂ】線形可動部材に関連する弁位置スイッチの動作を示す図である。
【図５Ａ】回転本体に関連する弁位置スイッチの動作を示す図である。
【図５Ｂ】回転本体に関連する弁位置スイッチの動作を示す図である。
【図１】
2004523089.tif 000003
【図２Ａ】
2004523089.tif 000004
【図２Ｂ】
2004523089.tif 000005
【図３Ａ】
2004523089.tif 000006
【図３Ｂ】
2004523089.tif 000007
【図３Ｃ】
2004523089.tif 000008
【図４Ａ】
2004523089.tif 000009
【図４Ｂ】
2004523089.tif 000010
【図５Ａ】
2004523089.tif 000011
【図５Ｂ】
2004523089.tif 000012
【国際公開パンフレット】
2004523089.tif 000013
2004523089.tif 000014
2004523089.tif 000015
2004523089.tif 000016
2004523089.tif 000017
2004523089.tif 000018
2004523089.tif 000019
2004523089.tif 000020
2004523089.tif 000021
2004523089.tif 000022
2004523089.tif 000023
2004523089.tif 000024
2004523089.tif 000025
2004523089.tif 000026
2004523089.tif 000027
2004523089.tif 000028
2004523089.tif 000029
2004523089.tif 000030
【国際調査報告】
2004523089.tif 000031